(57)【要約】【課題】  出力電圧の波高値、及びパルス幅の制御が可能な高電圧パルスを発生させる電源装置を提供する。【解決手段】  本発明の電源装置（１２）は、一次巻線（３４）及び二次巻線（３６）を有する昇圧トランス（１８）と、一次巻線（３４）に接続された直流電源（１６）と、直流電源（１６）のプラス端子と一次巻線（３４）の一端とを接続する接続ライン、及び直流電源（１６）のマイナス端子と一次巻線（３４）の他端とを接続する接続ラインのうちいずれかに設けられた第１の抵抗（２２）と、２本の接続ラインのうちいずれかに設けられたスイッチング素子（２０）と、一次巻線（３４）に並列に接続された第１のダイオード（２４）と、二次巻線（３６）に並列に接続された第２のダイオード（２８）と、スイッチング素子（２０）に駆動信号を出力する駆動回路（３２）とを備え、接続された負荷（１４）に高電圧パルスを印加する。【選択図】図１
2005130576.tif 000002
【特許請求の範囲】
【請求項１】
接続された負荷に高電圧パルスを印加する電源装置であって、
一次巻線及び二次巻線を有する昇圧トランスと、
前記一次巻線に接続された直流電源と、
前記直流電源のプラス端子と前記一次巻線の一端とを接続する第１の接続ライン、及び前記直流電源のマイナス端子と前記一次巻線の他端とを接続する第２の接続ラインの２本の接続ラインのうちいずれかに設けられた第１の抵抗と、
２本の前記接続ラインのうちいずれかに設けられたスイッチング素子と、
前記一次巻線に並列に接続された第１のダイオードと、
前記二次巻線に並列に接続された第２のダイオードと、
前記スイッチング素子に駆動信号を出力する駆動回路と
を備え、
前記負荷は、前記二次巻線、及び前記第２のダイオードに並列に接続され、
前記第１のダイオードは、そのカソードが、前記第１の接続ラインに接続され、そのアノードが、前記第２の接続ラインに接続され、
前記第２のダイオードは、そのカソードが、前記高電圧パルスが印加されたときに高電位側となる前記負荷の端子に接続される電源装置。
【請求項２】
さらに、
前記第１のダイオードに直列に接続され、前記第１のダイオードと共に前記第１の一次巻線に並列に接続される第２の抵抗と、
前記第２のダイオードに直列に接続され、前記第２のダイオードと共に前記第２の一次巻線に並列に接続される第３の抵抗と
を備える請求項１に記載の電源装置。
【請求項３】
前記第１の抵抗の抵抗値が、前記負荷の容量成分を充電する電流が、前記昇圧トランスの励磁インダクタンス成分に流れる電流より速く立ち上がるように選定される請求項１又は２に記載の電源装置。
【請求項４】
前記駆動回路が、前記駆動信号により前記スイッチング素子をオンして、前記負荷の容量成分の充電を開始し、前記負荷の容量成分の電圧の一次換算値が、前記昇圧トランスの前記一次巻線に印加される電圧より大きくなった場合に、前記駆動信号により前記スイッチング素子をオフする請求項１から３のいずれかに記載の電源装置。
【請求項５】
さらに、前記第１のダイオードの前記カソードと、前記昇圧トランスの前記一次巻線との間に、インダクタを備える請求項１から４のいずれかに記載の電源装置。
【請求項６】
前記第１のダイオードの前記カソードと、前記昇圧トランスの前記一次巻線との間にインダクタ成分が生成されるように、前記昇圧トランスを構成する請求項１から４のいずれかに記載の電源装置。
【発明の詳細な説明】
【技術分野】
【０００１】
本発明は、高電圧パルスを発生させる電源装置に関する。
【背景技術】
【０００２】
近年、食品等の殺菌処理のために高電圧を利用した殺菌方法が開発されている。高電圧を利用した殺菌は、従来の加熱殺菌等と異なり、食品等の品質低下を防止することができるので、安全性が高いという利点がある。
【０００３】
例えば、高電圧を用いて殺菌を行う場合、高電圧パルスの印加によりパルスストリーマ放電を発生させる手法が採用される。この手法では、高電圧パルスを発生させる電源装置が使用される。従来の電源装置は、昇圧トランスの一次巻線に電流を流して電磁エネルギーを蓄積し、その電流を遮断することによって巻線に誘導電圧を発生させ、さらに、その誘導電圧を二次巻線に伝えて高電圧パルスを発生させていた。
【０００４】
図７は、従来の電源装置の構成を示す回路図である。電源装置１０２は、負荷１０４に高電圧パルスを印加する。図７に示されるように、この電源装置１０２は、直流電源１０６、昇圧トランス１０８、スイッチング素子１１０、ダイオード１１２、インダクタ１１４、コンデンサ１１６、及び駆動回路１１８を備える。昇圧トランス１０８は、一次巻線１２０、及び二次巻線１２２を有する。直流電源１０６、一次巻線１２０、及びスイッチング素子１１０は、ループ状に接続される。ダイオード１１２は、スイッチング素子１１０と並列に接続される。また、二次巻線１２２、インダクタ１１４、及びコンデンサ１１６は、ループ状に接続される。インダクタ１１４は、二次巻線１２２とコンデンサ１１６との間に挿入される。負荷１０４は、コンデンサ１１６に並列に接続される。駆動回路１１８は、スイッチング素子１１０を駆動する駆動信号を生成して、それをスイッチング素子１１０に出力する。負荷１０４は、パルスストリーマ放電を行うのに適した電極構造を備え、静電容量の特性を示す。
【０００５】
以下に、図８を用いて、電源装置１０２の動作を説明する。図８は、電源装置１０２の動作を説明する波形図である。図８は、（ａ）スイッチング素子１１０を駆動させる駆動信号、（ｂ）スイッチング素子１１０に流れる電流、（ｃ）負荷１０４に印加される電圧、及び（ｄ）ダイオード１１２に流れる電流を示す。図８において、水平方向（時間）のスケールファクタは、０．５μs／ｄｉｖであり、垂直方向のスケールファクタは、図８の（ｂ）、及び（ｄ）において５Ａ／ｄｉｖ、（ｃ）において５ｋＶ／ｄｉｖである。駆動回路１１８の駆動信号が低レベルから高レベルに変化するとき、スイッチング素子１１０がオンする。スイッチング素子１１０がオンすると、直流電源１０６から昇圧トランス１０８の一次巻線１２０に、ほぼ直線状に増加する電流が流れる（図８の（ｂ）参照。）。この電流により、一次巻線１２０に電磁エネルギーが蓄積される。
【０００６】
次に、駆動回路１１８の駆動信号が高レベルから低レベルに変化すると、スイッチング素子１１０がオフする。スイッチング素子１１０がオフすると、昇圧トランス１０８の一次巻線１２０に誘導電圧が発生する。この誘導電圧は、昇圧トランス１０８の巻線比に応じて二次巻線１２２に伝達される。二次巻線１２２に高い電圧が発生すると、この発生した電圧を励起源として、インダクタ１２２，１１４、コンデンサ１１６、及び負荷１０４の容量成分により共振が起こる。結果として、ピーク出力が大きく、かつパルス幅の狭いパルス電圧が発生し、このパルス電圧が、負荷１０４に印加される（図８の（ｃ）参照。）。
【０００７】
ここで、二次側回路の共振により、昇圧トランス１０８の巻線１２０，１２２の電圧極性が再度反転する。ここで、一次巻線１２０の電圧が、直流電源１０６の電圧を超えると、ダイオード１１２が導通して、直流電源１０６にエネルギーが回生される。以上の動作は、二次側回路の共振によって繰り返される。図８の（ｄ）は、その場合にダイオード１１２に流れる回生電流を示す。
【０００８】
上述の電源回路について、二次側回路に高電圧用スイッチを設けた回路が考案されている（例えば、特許文献１参照。）。図９は、このような回路の構成を示す回路図である。図９において、図７と同一の構成要素には、同一の符号を付している。図９に示されるように、電源回路２０２は、図７の電源回路１０２に、新たに高電圧用スイッチ２１０が追加された構成をしている。電源回路２０２では、コンデンサ１１６の電圧がピークに達した瞬間に高電圧用スイッチ２１０を導通させて、負荷１０４に電圧パルスを印加する。これにより、出力電圧パルスの立ち上がり速度が増す。
【特許文献１】特開平１０−２２４１８７号公報
【発明の開示】
【発明が解決しようとする課題】
【０００９】
しかし、従来の電源装置において、スイッチング素子１１０をオフした直後に発生する出力電圧のピーク値（波高値）は、スイッチング素子１１０のオフ時のスイッチング速度に大きく依存するので、スイッチング素子１１０の部品のばらつきの影響を受けやすいという課題があった。
【００１０】
また、出力電圧のパルス幅は、二次側回路の共振時定数に依存するため、パルス幅を制御できないという課題があった。
【００１１】
また、スイッチング素子１１０のオフ時に、昇圧トランス１０８の漏れインダクタンスにより大きなサージ電圧が発生し、それがスイッチング素子１１０に印加されるためスイッチング素子１１０が高耐圧であることが必要になるとともに、スイッチングノイズが大きくなるという課題も有していた。
【００１２】
さらに、特許文献１などの回路では、２次側回路に高耐圧のスイッチング素子が必要となり、装置の大型化、及びコストアップにつながるという課題も有していた。
【００１３】
本発明の目的は、出力電圧の波高値、及びパルス幅の制御が可能な高電圧パルスを発生させる電源装置を提供することである。
【００１４】
本発明の更なる目的は、より小型でコストの低い電源装置を提供することである。
【課題を解決するための手段】
【００１５】
本発明の電源装置は、接続された負荷に高電圧パルスを印加する装置である。この電源装置は、一次巻線及び二次巻線を有する昇圧トランスと、前記の一次巻線に接続された直流電源と、前記の直流電源のプラス端子と前記の一次巻線の一端とを接続する第１の接続ライン、及び前記の直流電源のマイナス端子と前記の一次巻線の他端とを接続する第２の接続ラインの２本の接続ラインのうちいずれかに設けられた第１の抵抗と、２本の前記の接続ラインのうちいずれかに設けられたスイッチング素子と、前記の一次巻線に並列に接続された第１のダイオードと、前記の二次巻線に並列に接続された第２のダイオードと、前記のスイッチング素子に駆動信号を出力する駆動回路とを備える。前記の負荷は、前記の二次巻線、及び前記の第２のダイオードに並列に接続される。前記の第１のダイオードは、そのカソードが、前記の第１の接続ラインに接続され、そのアノードが、前記の第２の接続ラインに接続される。前記の第２のダイオードは、そのカソードが、前記の高電圧パルスが印加されたときに高電位側となる前記の負荷の端子に接続される。
【００１６】
好ましくは、前記の電源装置は、さらに、前記の第１のダイオードに直列に接続され、前記の第１のダイオードと共に前記の第１の一次巻線に並列に接続される第２の抵抗と、前記の第２のダイオードに直列に接続され、前記の第２のダイオードと共に前記の第２の一次巻線に並列に接続される第３の抵抗とを備える。
【００１７】
好ましくは、前記の電源装置において、前記の第１の抵抗の抵抗値が、前記の負荷の容量成分を充電する電流が、前記の昇圧トランスの励磁インダクタンス成分に流れる電流より速く立ち上がるように選定される。
【００１８】
好ましくは、前記の電源装置において、前記の駆動回路が、前記の駆動信号により前記のスイッチング素子をオンして、前記の負荷の容量成分の充電を開始し、前記の負荷の容量成分の電圧の一次換算値が、前記の昇圧トランスの前記の一次巻線に印加される電圧より大きくなった場合に、前記の駆動信号により前記のスイッチング素子をオフする。
【００１９】
好ましくは、前記の電源装置が、さらに、前記の第１のダイオードの前記のカソードと、前記の昇圧トランスの前記の一次巻線との間に、インダクタを備える。
【００２０】
好ましくは、前記の電源装置において、前記の第１のダイオードの前記のカソードと、前記の昇圧トランスの前記の一次巻線との間にインダクタ成分が生成されるように、前記の昇圧トランスを構成する。
【発明の効果】
【００２１】
本発明による電源装置によれば、出力電圧の波高値、及びパルス幅の制御が可能な高電圧パルスを発生させる電源装置が実現できる。
【発明を実施するための最良の形態】
【００２２】
以下に、添付の図面を参照して、本発明の実施の形態を説明する。
（実施の形態１）
図１は、本発明の実施の形態１による電源装置の構成を示す回路図である。図１において、電源装置１２は、負荷１４に高電圧パルスを印加する。図１に示されるように、この電源装置１２は、直流電源１６、昇圧トランス１８、スイッチング素子２０、第１の抵抗２２、第１のダイオード２４、第２の抵抗２６、第２のダイオード２８、第３の抵抗３０、及び駆動回路３２を備える。また、昇圧トランス１８は、一次巻線３４、及び二次巻線３６を備える。この２つの巻線３４，３６は、それぞれ、相互インダクタンスの極性が負になるように巻かれている(図１において、昇圧トランス１８の一次巻線３４と二次巻線３６に付した黒丸の位置が、互いに反対である。)。
【００２３】
直流電源１６、スイッチング素子２０、第１の抵抗２２、第１のダイオード２４、第２の抵抗２６、及び昇圧トランス１８の一次巻線３４は、一次側回路を構成する。図１に示されるように、直流電源１６、第１の抵抗２２、昇圧トランス１８の一次巻線３４、及びスイッチング素子２０は、ループ状に接続される。ここで、直流電源１６のプラス端子と一次巻線３４の巻き始めの端子（黒丸が付された端子）とを接続する接続ラインをプラス側ライン、直流電源１６のマイナス端子と一次巻線３４の巻き終わりの端子とを接続する接続ラインをマイナス側ラインとすると、第１の抵抗２２、及びスイッチング素子２０は、それぞれ、プラス側ライン、及びマイナス側ラインに接続される。
【００２４】
第１のダイオード２４、及び第２の抵抗２６は、互いに直列に接続される。直列接続された第１のダイオード２４、及び第２の抵抗２６は、一次巻線３４に並列に接続される。具体的には、第１のダイオード２４のアノード（Ａ）と第２の抵抗２６の一端が互いに接続され、第１のダイオード２４のカソード（Ｋ）、及び第２の抵抗２６の他端が、それぞれ、一次巻線３４の巻き始めの端子、及び一次巻線３４の巻き終わりの端子に接続される。
【００２５】
昇圧トランス１８の二次巻線３６、第２のダイオード２８、及び第３の抵抗３０は、二次側回路を構成する。第２のダイオード２８、及び第３の抵抗３０は、互いに直列に接続される。直列接続された第２のダイオード２８及び第３の抵抗３０は、二次巻線３６に並列に接続される。具体的に、第２のダイオード２８のアノード（Ａ）と第３の抵抗３０の一端が互いに接続され、第２のダイオード２８のカソード（Ｋ）、及び第３の抵抗３０の他端が、それぞれ、二次巻線３６の巻き終わりの端子、及び二次巻線３６の巻き始めの端子（黒丸が付された端子）に接続される。また、負荷１４は、二次巻線３６に並列接続される。負荷１４は、パルスストリーマ放電を行うのに適した電極構造を備え、静電容量の特性を示す。
【００２６】
以下に、図２を用いて、図１の電源装置の動作を説明する。図２は、電源装置１２の動作を説明する波形図である。ここで、図２に示した波形は、直流電源１６の電圧が２８０Ｖ、昇圧トランス１８の巻数比（一次巻線の巻数／二次巻線の巻数）が１／１８、昇圧トランス１８の励磁インダクタンスが２０μＨ、負荷１４の容量が２５ｐＦ、第１の抵抗２２の抵抗値が１５Ω、第２の抵抗２６の抵抗値が１０Ω、第３の抵抗３０の抵抗値が１０kΩの場合の例である。図２は、（ａ）駆動回路３２がスイッチング素子２０に出力する駆動信号、（ｂ）第１の抵抗２２に流れる電流、（ｃ）昇圧トランス１８の励磁インダクタンス成分に流れる電流、（ｄ）負荷１４に印加される電圧、（ｅ）第１のダイオード２４に流れる電流、及び（ｆ）第２のダイオード２８に流れる電流を示す。図２において、水平方向（時間）のスケールファクタは、０．５μs／ｄｉｖであり、垂直方向のスケールファクタは、（ｂ）（ｃ）（ｅ）では５Ａ／ｄｉｖ、（ｄ）では５ｋＶ／ｄｉｖ、（ｆ）では０．２Ａ／ｄｉｖである。
【００２７】
まず、図２の（ａ）に示されるように、駆動回路３２が高レベル信号（オン信号）を出力すると、スイッチング素子２０がオンする。スイッチング素子２０がオンすると、直流電源１６から、抵抗２２を介して、電流が流れる（図２の（ｂ）参照。）。このとき、直流電源１６は、昇圧トランス１８の励磁インダクタンス成分に流れる電流と、負荷１４の容量成分に流れる電流を供給する。これにより、一方では、一次巻線３４に電磁エネルギーが蓄えられ、他方では、負荷１４の容量成分が充電される。
【００２８】
昇圧トランス１８の励磁インダクタンス成分に流れる電流は、スイッチング素子２０がオンすると同時に、０からほぼ直線的に増加する（図２の（ｃ）参照。）。また、負荷１４の容量成分を充電する電流は、負荷１４の容量成分の１次換算値と第１の抵抗２２の抵抗値との積で表される時定数に基づいて増加する。この充電電流により、負荷１４の容量成分の電圧（すなわち、電源装置１２の出力電圧）が上昇する（図２の（ｄ）参照。なお、図２の（ｄ）では、電圧の極性を、図１における矢印（Ｖｃ）の方向を正、その逆方向を負として表す。）。
【００２９】
その後、上記励磁インダクタンス成分に流れる電流が増加すると、第１の抵抗２２による電圧降下が増大し、一次巻線３４に印加される電圧が小さくなる。負荷１４の容量成分の電圧の１次換算値が、この一次巻線３４に印加される電圧より大きくなると、負荷１４の容量成分の電圧の低下が始まる(この低下の開始時点は、図２の（ｄ）において、「ｔ」で示される。)。
【００３０】
この直後にスイッチング素子２０をオフすると、上記励磁インダクタンス成分に流れていた電流は、抵抗２６、及びダイオード２４を環流し、やがて０となる（図２の（ｅ）参照。）。また、スイッチング素子２０をオフすると、昇圧トランス１８の一次巻線３４に誘導電圧が発生し、この誘導電圧が、昇圧トランス１８の巻線比に応じて二次巻線３６に伝達される。二次側回路では、二次巻線３６に発生した電圧を励起源として、二次巻線３６と負荷１４の容量成分とで、共振が発生する。もし、二次側回路に、ダイオード２８、及び抵抗３０が存在しなければ、出力電圧は、図３に示されるような共振波形となる（スケールファクタは、図２の（ｄ）と同一である。）。しかし、本実施の形態による電源装置１２においては、第２のダイオード２８、及び第３の抵抗３０が存在するので、それらにより図３における波形の２山目（正の半波）が吸収され（図２の（ｆ）参照。）、さらに、その後の振動が抑制される。ここで、第２のダイオード２８は、そのカソード（Ｋ）が、出力電圧パルスの１山目が印加されたときに高電位側となる負荷１４の端子に接続される。以上から、図２の（ｄ）に示されるように、パルス幅が１μｓ程度でほぼ１山の高電圧パルス出力を得ることができる。
【００３１】
なお、上述したように、負荷１４の容量成分を充電する電流は、負荷１４の容量成分の１次換算値と第１の抵抗２２の抵抗値との積で表される時定数に基づいて増加する。具体的には、負荷１４の容量成分の１次換算値と第１の抵抗２２の抵抗値との積が小さいほど、負荷１４の容量成分を充電する電流（負荷１４の負荷１４の容量成分に流れる電流）の立ち上がりが速くなる。よって、スイッチング素子２０がオンしたとき、負荷１４の容量成分に流れる電流が、上記励磁インダクタンス成分に流れる電流よりも速く立ち上がるように抵抗２２の抵抗値を選定することにより、負荷１４に印加される出力電圧の立ち上がりを速くすることができる。
【００３２】
さらに続けて、駆動回路３２が出力するオン信号の幅が、上述の場合よりも小さい場合を考える。図４は、そのような場合の波形図であり、（ａ）駆動回路３２がスイッチング素子２０に出力する駆動信号、（ｂ）第１の抵抗２２に流れる電流、（ｃ）昇圧トランス１８の励磁インダクタンス成分に流れる電流、（ｄ）負荷１４に印加される電圧、（ｅ）第１のダイオード２４に流れる電流、及び（ｆ）第２のダイオード２８に流れる電流を示す。図４におけるスケールファクタは、図２の波形図におけるスケールファクタと同一である。
【００３３】
図２と図４を比較すると、波形の形状はほぼ同一であるが、その大きさが異なる。特に、出力電圧パルスの波高値（最大高値）、及びパルス幅に注目すると（図２（ｄ）、及び図４（ｄ）参照。）、それらは、駆動回路３２が出力するオン信号の幅が大きいほど大きくなる。これは、オン信号の幅が大きいとき、昇圧トランス１８の一次巻線３４に蓄えられる電磁エネルギー、及び負荷１４の容量成分に蓄えられる電圧エネルギーが、共に大きくなることに起因する。
【００３４】
本実施の形態による電源装置においては、スイッチング素子をオンして負荷を充電し、その充電電圧がピークに達したとき（すなわち、負荷１４の容量成分の電圧の１次換算値が、一次巻線３４に印加される電圧より大きくなって、負荷１４の容量成分の電圧の低下が始まる時点）に、スイッチング素子をオフして、その後、負荷に印加する電圧を減少させる。これにより、スイッチング素子のスイッチング速度に依存せず、不要な振動を含まない、ほぼ１山の出力電圧パルスが得られる。また、本実施の形態の電源装置によれば、スイッチング素子の駆動信号におけるオン信号の幅を制御することにより、出力電圧パルスの波高値、及びパルス幅を制御することができる。その結果、安定した出力電圧パルスを得ることができ、回路特性の安定化が図れる。さらに、異常時の遮断等の安全設計が容易となる。
【００３５】
また、本実施の形態による電源装置によれば、直流電源に接続された抵抗によって直流電源から供給される電流を抑制できるため、スイッチング素子の電流容量低減、及び負荷短絡時の保護が容易となる。さらに、本実施の形態による電源装置によれば、一次巻線に並列に接続された第２の抵抗と第１のダイオードとによる電流環流経路があるため、スイッチング素子のオフ時のサージ電圧を抑制でき、より耐圧の小さいスイッチング素子を使用することができる。結果として、電流容量、及び耐圧の小さい、比較的小さなスイッチング素子を使用することができるので、装置の小型化、コストダウンを実現することができる。また、スイッチング素子をオフすることにより、出力電圧の上昇を抑えることができるため、保護制御が容易となる。
【００３６】
加えて、本実施の形態の電源装置によれば、一次巻線に並列に接続された第２の抵抗と第１のダイオードとによる電流環流経路があるため、スイッチング素子のオフ時のサージ電圧を抑制でき、結果として、スイッチング素子のスイッチング時のノイズ（不要輻射）を低減できる。
【００３７】
なお、本実施の形態による電源装置において、昇圧トランス１８の巻線３４、３６を、相互インダクタンスの極性が負になるように巻いたが、それらを、相互インダクタンスの極性が正になるように巻いてもよい。その場合、第２のダイオード２８の極性を逆にすれば、本実施の形態による電源装置と同様の効果が得られる。また、本実施の形態による電源装置において、スイッチング素子２０は、パワーデバイスを含む双方向スイッチでも、昇圧トランス１８から直流電源１６へ導通する片方向スイッチであってもよい。
【００３８】
また、本実施の形態による電源装置においては、一次側回路のプラス側ライン、及びマイナス側ラインに、それぞれ、抵抗、及びスイッチング素子を挿入したが、プラス側ライン、及びマイナス側ラインに、それぞれ、スイッチング素子、及び抵抗を挿入してもよい。さらに、それらのいずれか一方のラインにスイッチング素子、及び抵抗を直列にして挿入してもよい。
【００３９】
さらに、本実施の形態による電源装置において、第１のダイオード２４と抵抗２６は、それぞれ、第１の抵抗２２、及びスイッチング素子２０に接続されるように配置されたが、互いに逆に配置されてもよい。また、第２のダイオード２８と抵抗３０が、互いに逆に配置されてもよい。
【００４０】
（実施の形態２）
図５は、本発明の実施の形態２による電源装置の構成を示す回路図である。図５において、図１と同じ構成要素については同じ符号を付し、説明を省略する。図５の電源装置４２が、図１の電源装置１２と異なる点は、第１のダイオード２４のカソードと、昇圧トランス１８の一次巻線３４との間にインダクタ４４が挿入されている点である。
【００４１】
本実施の形態による電源装置によれば、スイッチング素子２０をオンした時に、インダクタ４４と負荷１４の容量成分との間で共振が起こるので、出力電圧の波高値をより高くすることができる。
【００４２】
（実施の形態３）
図６は、本発明の実施の形態３による電源装置の構成を示す回路図である。図６において、図１、及び図５と同じ構成要素については同じ符号を付し、説明を省略する。図６の電源装置５２が、図５の電源装置５２と異なる点は、第１のダイオード２４のカソードと、昇圧トランス１８の１次巻線３４との間に接続していたインダクタ４２を除去し、そのインダクタ４２の成分を、昇圧トランス１８の一次漏れインダクタンスで補う構成にした点である。これは、昇圧トランス１８の構成を工夫すること（例えば、閉磁路に設けた空隙の幅を変化させること等）により実現することができる。
【００４３】
本実施の形態による電源装置によれば、実施の形態２による電源装置のインダクタが省略できるため、より装置の小型化、コストダウンが可能となる。
【産業上の利用可能性】
【００４４】
本発明にかかる電源装置は、発生させる高電圧パルスの出力電圧の波高値、及びパルス幅を制御できるので、例えば、食品の殺菌等に用いられる高電圧パルスの発生装置として有用である。
【図面の簡単な説明】
【００４５】
【図１】本発明の実施の形態１による電源装置の構成を示す回路図。
【図２】図１の電源装置の動作を説明する波形図。
【図３】第２のダイオード及び第３の抵抗がない場合に、図１の負荷に印加される電圧を示す波形図。
【図４】図１の電源装置について、駆動回路がスイッチング素子に出力するオン信号の幅がより小さい場合の電源装置の動作を説明する波形図。
【図５】本発明の実施の形態２による電源装置の構成を示す回路図。
【図６】本発明の実施の形態３による電源装置の構成を示す回路図。
【図７】従来の電源装置の構成を示す回路図。
【図８】図７の電源装置の動作を説明する波形図。
【図９】従来の別の電源装置の構成を示す回路図。
【符号の説明】
【００４６】
１２  電源装置
１４  負荷
１６  直流電源
１８  昇圧トランス
２０  スイッチング素子
２２  第１の抵抗
２４  第１のダイオード
２６  第２の抵抗
２８  第２のダイオード
３０  第３の抵抗
３２  駆動回路
３４  一次巻線
３６  二次巻線
【図１】
2005130576.tif 000003
【図２】
2005130576.tif 000004
【図３】
2005130576.tif 000005
【図４】
2005130576.tif 000006
【図５】
2005130576.tif 000007
【図６】
2005130576.tif 000008
【図７】
2005130576.tif 000009
【図８】
2005130576.tif 000010
【図９】
2005130576.tif 000011